(57)【特許請求の範囲】
【請求項１】
肩掛けベルトと腿掛けベルトを備え、背中部分で肩掛けベルトを交差重合させ、前記交差重合箇所には連結環を挿通して固定板で位置決めした背部リング部を設けたハーネス型安全帯において、
前記背部リング部に配置する装着形状保持プレートであって、
前記装着形状保持プレートは、前記背部リング部に着脱できる取付部と、前記取付部から所定長延尺したベルト支持片とから構成され、
前記取付部を前記背部リング部において、前記固定板と前記肩掛けベルトの間に配置することにより
前記装着形状保持プレートを取り付けることで前記ハーネス型安全帯の前記背部リング部近辺の装着形状が保持されることを特徴とするハーネス型安全帯の装着形状保持プレート。
【請求項２】
前記装着形状保持プレートは、合成樹脂、金属、合成ゴム、重合紙、あるいはそれらの複合材で、ハーネス型安全帯の重量に抗して所定湾曲形状を保持することを特徴とする請求項１に記載のハーネス型安全帯の装着形状保持プレート。
【請求項３】
前記装着形状保持プレートは、互いに相対する突出片を有する取付部と、取付部からベルトに沿って肩部方向、あるいは腰部方向、あるいは肩部および腰部方向へ所定長延尺したベルト支持片とから構成され、
前記装着形状保持プレートのベルト支持片をベルトと人体の間に配置し、
取付部の突出片を２本のベルトの交差箇所と前記固定板の間に挿入して取り付けることでハーネス型安全帯の装着時の形状が保持されることを特徴とする請求項１または請求項２に記載のハーネス型安全帯の装着形状保持プレート。
【請求項４】
前記装着形状保持プレートは、前記固定板と取付部を連結部材によって連結し、取付部からベルトに沿って肩部方向、あるいは腰部方向、あるいは肩部および腰部方向へ所定長延尺したベルト支持片とから構成され、
前記装着形状保持プレートのベルト支持片をベルトと人体の間に配置することでハーネス型安全帯の装着時の形状が保持されることを特徴とする請求項１または請求項２に記載のハーネス型安全帯の装着形状保持プレート。
【請求項５】
前記装着形状保持プレートは、互いに相対する突出片を有する取付部と、取付部からベルトに沿って肩部方向、あるいは腰部方向、あるいは肩部および腰部方向へ所定長延尺し、互いに相対してベルトを抱持するベルト抱持片を有するベルト支持片とから構成され、
前記装着形状保持プレートのベルト支持片をベルトの人体側の面、あるいは外側の面に配置してベルト抱持片でベルトを抱持し、
取付部の突出片を２本のベルトの交差箇所と前記固定板の間に挿入して取り付けることでハーネス型安全帯の装着時の形状が保持されることを特徴とする請求項１または請求項２に記載のハーネス型安全帯の装着形状保持プレート。
【請求項６】
前記装着形状保持プレートは、前記固定板と取付部を連結部材によって連結し、取付部からベルトに沿って肩部方向、あるいは腰部方向、あるいは肩部および腰部方向へ所定長延尺し、互いに相対してベルトを抱持するベルト抱持片を有するベルト支持片とから構成され、
前記装着形状保持プレートのベルト支持片をベルトの人体側の面、あるいは外側の面に配置して、ベルト抱持片でベルトを抱持することでハーネス型安全帯の装着時の形状が保持されることを特徴とする請求項１または請求項２に記載のハーネス型安全帯の装着形状保持プレート。
【発明の詳細な説明】
【技術分野】
【０００１】
本発明は、高所作業時の作業者が身体に装着し、墜落防止を図るハーネス型安全帯に関するものであり、特に、ハーネス型安全帯の装着時の形状を保持するハーネス型安全帯の装着形状保持プレートに係るものである。
【背景技術】
【０００２】
高所で作業を行う場合には墜落防止用安全帯を装着する必要があるが、この墜落防止用安全帯は、胴ベルトのみから構成された胴ベルト型安全帯と、肩掛けベルトと腿掛けベルトから構成されたハーネス型安全帯に大別される。この胴ベルト型安全帯は、墜落阻止時、荷重が胴ベルトに集中するので身体が損傷する可能性はあるが、ハーネス型安全帯の場合、荷重は肩掛けベルトと腿掛けベルトに分散するので身体が損傷する可能性は少ない。
このようなことから、近年ではハーネス型安全帯を使用することが増加してきた。
【０００３】
しかしながら、ハーネス型安全帯は肩掛けベルトと腿掛けベルトから構成されていることから、胴ベルトのみから構成された胴ベルト型安全帯と比べると構造が複雑であり、きちんと折りたたんで保管していてもその状態が維持できず、肩掛けベルトと腿掛けベルトが絡まってしまうことがあった。この絡まった状態のハーネス型安全帯を装着する場合、装着しやすい状態、すなわち、ハーネス型安全帯を装着した時と近似した形状にするために、肩掛けベルトの背中の交差箇所、すなわち連結環を中心として、左右の腕が入れられるように肩掛けベルトの形状を整形し、左右の腿を固定できるように腿掛けベルトを整形していた。
【０００４】
このことより、ハーネス型安全帯をもつれ難くするには、肩掛けベルトと腿掛けベルトを装着した時の状態に保持することが必要であり、そのために、ベルトの表面に樹脂を施してベルトを硬くしたり、特許文献１に示すようにベルトの必要箇所に形状記憶部材を縫い合わせたりしていた。
【先行技術文献】
【特許文献】
【０００５】
【特許文献１】特開２００９−２６１５３７号
【発明の概要】
【発明が解決しようとする課題】
【０００６】
ベルト自体を硬くすると、雑な保管状態でも肩掛けベルトや腿掛けベルトの湾曲形状を保持することができる。
しかしながら、ベルトは硬いので作業者の体にフィットし難く、又ベルト端部と肌の接触による擦れで肌が傷つくことがあった。しかも、ベルトが硬いのでいつもゴワゴワした感じであり、装着感はよくなかった。
【０００７】
特許文献１に示すように、その肩部と腿部の湾曲形状が必要な箇所に形状記憶部材を縫い合わせると、形状記憶部材の特性により肩掛けベルトと腿掛けベルトの湾曲形状は保持できる。
この形状記憶部材は、ばね鋼、硬鋼線材、形状記憶合金などの金属性ワイヤー芯や形板、ポリアミド、ポリカーボネートなどの樹脂性ワイヤー芯や形板であり、その芯材が曲がったり、劣化して形状保持特性が失われることがある。このような場合、ハーネス型安全帯としての機能は満たしているので、引き続いて形状保持機能がないままのハーネス型安全帯を継続して使用していた。このため、作業前に毎回、煩わしい思いをしたまま、ハーネス型安全帯を装着していた。
【０００８】
本発明は、上記の課題に鑑みてなされたものであって、ベルトの風合いを変えることなく肩掛けベルトの湾曲形状を保持でき、また、その湾曲形状の維持機能が失われた際は新しいものと取り替えが可能なハーネス型安全帯の装着形状保持プレートを提供することをその目的とする。
【課題を解決するための手段】
【０００９】
本発明は、２本のベルトの中間部を背部にて交差させ、交差箇所に連結環を挿通して固定板で位置決めした背部リング部を設け、当該ベルトの一端を肩部を越して胸前より腰部へ延ばした肩掛けベルト部と、ベルトの他端を交差箇所から腰部を通過して腿部へ延ばして腿を緊縛する腿掛けベルト部を構成し、腰部で互いのベルト部を連結した構成のハーネス型安全帯の背部リング部に配置する装着形状保持プレートである。
装着形状保持プレートは、背部リング部に着脱できる取付部と、取付部から所定長延尺したベルト支持片とから構成される。
装着形状保持プレートを取り付けることでハーネス型安全帯の背部リング部近辺の装着形状が保持されることを特徴とするハーネス型安全帯の装着形状保持プレートである。
【００１０】
請求項２の発明の装着形状保持プレートは、合成樹脂、金属、合成ゴム、重合紙、あるいはそれらの複合材で、ハーネス型安全帯の重量に抗して所定湾曲形状を保持できる。
【００１１】
請求項３の発明の装着形状保持プレートは、互いに相対する突出片を有する取付部と、取付部からベルトに沿って肩部方向、あるいは腰部方向、あるいは肩部および腰部方向へ所定長延尺したベルト支持片とから構成される。
装着形状保持プレートのベルト支持片をベルトと人体の間に配置して、取付部の突出片を２本のベルトの交差箇所と固定板の間に挿入して取り付けることでハーネス型安全帯の装着時の形状が保持されるものである。
【００１２】
請求項４の発明の装着形状保持プレートは、固定板と取付部を連結部材によって連結し、取付部からベルトに沿って肩部方向、あるいは腰部方向、あるいは肩部および腰部方向へ所定長延尺したベルト支持片とから構成される。
装着形状保持プレートのベルト支持片をベルトと人体の間に配置することでハーネス型安全帯の装着時の形状が保持されるものである。
【００１３】
請求項５の発明の装着形状保持プレートは、互いに相対する突出片を有する取付部と、取付部からベルトに沿って肩部方向、あるいは腰部方向、あるいは肩部および腰部方向へ所定長延尺し、互いに相対してベルトを抱持するベルト抱持片を有するベルト支持片とから構成される。
装着形状保持プレートのベルト支持片をベルトの人体側の面、あるいは外側の面に配置してベルト抱持片でベルトを抱持する。
取付部の突出片を２本のベルトの交差箇所と前記固定板の間に挿入して取り付けることでハーネス型安全帯の装着時の形状が保持されるものである。
【００１４】
請求項６の発明の装着形状保持プレートは、固定板と取付部を連結部材によって連結し、取付部からベルトに沿って肩部方向、あるいは腰部方向、あるいは肩部および腰部方向へ所定長延尺し、互いに相対してベルトを抱持するベルト抱持片を有するベルト支持片とから構成される。
装着形状保持プレートのベルト支持片をベルトの人体側の面、あるいは外側の面に配置して、ベルト抱持片でベルトを抱持することでハーネス型安全帯の装着時の形状が保持されるものである。
【発明の効果】
【００１５】
本発明のハーネス型安全帯の装着形状保持プレートは着脱自在であり、肩掛けベルトの背部の交差箇所に取り付けることによって、装着時の形状が保持できるものである。
【図面の簡単な説明】
【００１６】
【図１】本発明の第１−１実施例である、装着形状保持プレート１をハーネス型安全帯７０の背部リング部７５に装着した時の正面図である。
【図２】図１のＣ−Ｃ断面図
【図３】図１の右側面図である。
【図４】本発明の第１−１実施例である、装着形状保持プレート１の正面図である。
【図５】本発明の第１−１実施例である、装着形状保持プレート１をハーネス型安全帯７０に装着した時の全景である。
【図６】本発明の第１−２実施例である、装着形状保持プレート１をハーネス型安全帯７０の背部リング部７５に装着した時の正面図である。
【図７】本発明の第１−３実施例である、装着形状保持プレート１をハーネス型安全帯７０の背部リング部７５に装着した時の正面図である。
【図８】本発明の第２−１実施例である、装着形状保持プレート２をハーネス型安全帯７０の背部リング部７５に装着した時の正面図である。
【図９】図８の右側面図である。
【図１０】図８のＤ矢視図及びその底面図である。
【図１１】取付部２０の爪２２２が固定板８６の爪係止溝８６１に挿入している状態を示す説明図である。
【図１２】本発明の第３−１実施例である、装着形状保持プレート３をハーネス型安全帯７０の背部リング部７５に装着した時の正面図である。
【図１３】図１２の右側面図である。
【図１４】本発明の第４−１実施例である、装着形状保持プレート４をハーネス型安全帯７０の背部リング部７５に装着した時の正面図である。
【発明を実施するための形態】
【００１７】
以下、本発明の実施形態を図面に基づき詳細に説明する。図１から図７は、ハーネス型安全帯の装着形状保持プレートの第１実施例で、ベルト支持片３０をベルトと人体の間に配置したものであり、ベルト支持片３０の延尺方向により、第１−１実施例、第１−２実施例、第１−３実施例となっている。図８から図１１は第２実施例、図１２と図１３は第３実施例、図１４は第４実施例である。第２実施例では、第１実施例と同様、ベルト支持片の延尺方向によりそれぞれ第２−１実施例、第２−２実施例、第２−３実施例であり、第１実施例と同様、ベルト支持片３０をベルトと人体の間に配置したものである。第３実施例、第４実施例の場合も延尺方向によりそれぞれ第３−１実施例、第３−２実施例、第３−３実施例、第４−１実施例、第４−２実施例、第４−３実施例であり、ベルト支持片４０をベルトの外側に配置したものである。
【００１８】
本発明の装着形状保持プレート１は、図１に示すように、ハーネス型安全帯７０の肩掛けベルト部７１の背部リング部７５に取り付けられる構造であり、取付部１０とベルト支持片３０で構成されている。
この背部リング部７５とは、肩掛けベルト７１，７１を連結環７７に挿通して交差させるとともに、固定板７６に設けたベルト挿通孔７６１、７６２、７６３に挿通し、さらにそれぞれのベルトを振り分けてＸ字構成孔７６４、７６４’に挿通することで位置決めした箇所である。
【００１９】
（第１実施例）
装着形状保持プレート１の取付部１０は、互いに相対する突出片１１、１１と、肩掛けベルト７１、７１が重合し、固定板７６のベルト挿通孔７６１、７６２、７６３若しくは、ベルト挿通孔７６３とＸ字構成孔７６４、７６４’、若しくはその両方の孔で位置決めした箇所を収納できる大きさの突出部形成空間とから構成される。突出部形成空間は、ベルト支持片の延尺方向により形状が異なるので、実施例ごとに記載する。
第１−１実施例は、図１及び図４に示すように、２本のベルト支持片３０、３０が取付部１０から肩掛けベルト７１、７１に沿って、略ベルト幅で両肩方向へＶ字形状に延尺している。この延尺長さは、肩部の湾曲開始地点近傍から肩部のトップ地点までの長さとする。
突出部形成空間１３（図４参照）は、図１の肩掛けベルト７１、７１が重合し、ベルト挿通孔７６１、７６２で位置決めした箇所を収納できる大きさである。
【００２０】
第１−２実施例は、図６に示すように、２本のベルト支持片３０，３０が取付部１０から肩掛けベルト７１、７１に沿って、略ベルト幅で左右腰部方向へ逆Ｖ字形状に延尺している。この延尺長さは、腰上部までの長さとする。
突出部形成空間は、図６に示すように、肩掛けベルト７１、７１が重合し、ベルト挿通孔７６３とＸ字構成孔７６４、７６４’で位置決めした箇所を収納できる大きさである。（図４に示す、第１−１実施例の突出部形成空間１３の形状を参照のこと。）
【００２１】
第１−３実施例は、図７に示すように、４本のベルト支持片３０、３０、３０’、３０’が取付部１０を中心として、肩掛けベルト７１に沿って両肩部方向と左右腰部方向にＸ字形状に延尺している。この延尺長さは、上部方向へは肩部の湾曲開始地点近傍から肩部のトップ地点までの長さ、下部方向へは腰上部までの長さとする。
突出部形成空間は、図７に示すように、肩掛けベルト７１、７１が重合し、ベルト挿通孔７６１、７６２、７６３とＸ字構成孔７６４、７６４’で位置決めした箇所を収納できる大きさである。（図４に示す、第１−１実施例の突出部形成空間１３の形状を参照のこと。）
【００２２】
第１−１実施例、第１−２実施例、第１−３実施例は、ベルト支持片の延尺方向が違うだけで、ハーネス型安全帯への取り付け方は同じであるので、第１−１実施例で説明する。
図２は、図１のＣ−Ｃ断面図である。また、参考の為、図４（装着形状保持プレート）にも、図１のＣ−Ｃ線と同様の箇所にＣ’−Ｃ’線を記載した。図２に示すように、ベルト支持片３０が人体側（図２、図３のＭ側）に位置するように配置して、図１に示すように肩掛けベルト７１、７１が重合し、ベルト挿通孔７６１、７６２で位置決めした箇所が取付部１０の突出部形成空間１３に収納される。
図１及び図２に示すように、突出片１１、１１を固定板７６と連結環７７の間に左右から挿入することで、装着状態保持プレート１は背部リング部７５に取り付けることができる。
【００２３】
第１−１実施例において、背部リング部７５に取り付けた状態でハーネス型安全帯７０の連結環７７を持ち上げると、ベルト支持片３０はハーネス型安全帯７０の重量を受けることから撓んで、図３に示すように、肩掛けベルト７１、７１は湾曲形状となる。
第１−２実施例において、背部リング部７５に取り付けた状態で連結環７７を持ち上げると、図示しないが、ベルト支持片３０は、ハーネス型安全帯７０の重量により撓んで、装着状態における肩位置ではないが、固定板７６の上部とベルト支持片３０により肩掛けベルト７１、７１は湾曲形状となる。
第１−３実施例において、上記と同様に連結環７７を持ち上げると、ベルト支持片３０はハーネス型安全帯７０の重量を受けることから撓んで、肩掛けベルト７１、７１は湾曲形状となる。
このように、ハーネス型安全帯７０に装着形状保持プレート１を装着すると、ハーネス型安全帯７０の肩掛けベルト７１、７１は湾曲形状になって左右の腕を入れる箇所、および両方の腿を緊縛するベルト（腿掛けベルト７３）が明確となり、ハーネス型安全帯が装着しやすくなる。
【００２４】
装着形状保持プレート１は、柔らかくて変形が元に戻る弾性率の高い素材、例えば、ポリエチレンの発泡シートを使用している。
また、アルミ材など変形が元に戻る弾性率の高い金属や、合成ゴム、金属とポリエチレンを重合したものを使用してもよい。
【００２５】
（第２実施例）
第１実施例と第２実施例は、装着形状保持プレートの取付部の形態が異なるがベルト支持片の形状は同一であり、図８に示すように、第２−１実施例のベルト支持片は取付部から両肩部方向へ所定長延尺し、図示しないが、第２−２実施例では取付部から左右腰部方向へ所定長延尺し、第２−３実施例では取付部から両肩部及び左右腰部方向へ所定長延尺した構造である。
【００２６】
従って、第２実施例の取付部２０の連結部材２２は、第２−１実施例、第２−２実施例、第２−３実施例と共通であるので、代表例として第２−１実施例で説明する。
図１０は図８のＤ矢視で、連結部材２２を拡大している。この連結部材２２はハーネス型安全帯７０の固定板８６に設けた複数の爪係止溝８６１と、装着形状保持プレート２の取付部２０に設けた爪２２２とから構成され、爪２２２を爪係止溝８６１に挿入することで、取付部２０と固定板８６が連結できる方法である。
爪係止溝８６１は、両側に係止辺８６２、８６２を有し、矩形形状である。
爪２２２は、取付部２０に直立して形成された柔軟性を有する片持ち梁型フック形状であり、爪係止溝８６１の係止辺８６２に引っ掛かる抜止片２２４を有する。
【００２７】
図１１（ａ）に示すように、爪２２２はその弾力により爪係止溝８６１に挿通可能な寸法まで変形して、（ｂ）に示すように爪２２２の抜止片２２４が爪係止溝８６１を通過すると、爪２２２は元の形状に戻る。そして、爪係止溝８６１の係止辺８６２に爪２２２の抜止片２２４が添うことで、装着形状保持プレート２は、ハーネス型安全帯７０の固定板８６に取り付けられる。
また、取付部２０には、図８に示すように、肩掛けベルト７１、７１が重合し、固定板７６のベルト挿通孔７６１，７６２で位置決めした箇所を収納できる大きさの突出部形成空間を有する。（この形状は、図４に示す第１−１実施例の突出部形成空間１３を参照のこと。）
【００２８】
図９に示すように、ベルト支持片３０を肩掛けベルト７１の人体側（図９のＭ側）に位置するように配置し、図１０に示すように、取付部２０の爪２２２を固定板８６の爪係止溝８６１に挿入することで取り付けることができる。
図示しないが、第２−２実施例、第２−３実施例においても、第２−１実施例と同様の方法で装着形状保持プレート２を取り付けることができる。
この結果、第２実施例においても、第１実施例と同様、ハーネス型安全帯７０に装着形状保持プレート２を装着すると、ハーネス型安全帯７０の肩掛けベルト７１、７１は図９に示すように、湾曲形状になって左右の腕を入れる箇所、および両方の腿を緊縛するベルト（腿掛けベルト７３）が明確となり、ハーネス型安全帯が装着しやすくなる。
【００２９】
尚、図示しないが、連結部材は固定板に設けた取付孔Ａと取付部に設けた取付孔Ｂとから構成され、取付孔Ａと取付孔Ｂをねじ等により軸着して装着形状保持プレートを固定板に連結してもよい。
【００３０】
（第３実施例）
図１２に示すように、第３実施例の装着形状保持プレート３の取付部１０は、第１実施例と同様、互いに対向する突出片１１、１１と、肩掛けベルト７１、７１が重合し、固定板７６のベルト挿通孔７６１、７６２、７６３若しくは、ベルト挿通孔７６３とＸ字構成孔７６４、７６４’、若しくはその両方の孔で位置決めした箇所を収納できる大きさの突出部形成空間とから構成される。突出部形成空間は、ベルト支持片の延尺方向により形状が異なるのである。
ベルト支持片４０の構成は第１実施例及び第２実施例と異なるが、ベルト支持片の延尺方向は第１実施例及び第２実施例と同様である。
このベルト支持片４０は、肩掛けベルト７１が挿入できる大きさの肩ベルト挿入孔４３と、肩ベルト挿入孔４３の両側のベルト支持片４０の長さ方向に対して直角に位置しているベルト把持辺４５、４５と、ベルト把持辺４５、４５の中央に位置し、ベルト把持辺４５、４５方向に互いに相対する抱持片４１、４１とから構成される。
【００３１】
第３−１実施例の延尺方向は第１−１実施例と同様であり、２本のベルト支持片４０、４０は、取付部１０から肩掛けベルト７１、７１に沿って両肩方向へＶ字形状に延尺している。延尺長さは、肩部の湾曲開始地点近傍から肩部のトップ地点までの長さとする。
第３−２実施例と第３−３実施例のベルト支持片の延尺方向は図示しないが、第３−２実施例は第１−２実施例、第３−３実施例は第１−３実施例と同様であり、第３−２実施例は、取付部から左右腰部方向へ所定長延尺し、第３−３実施例では取付部から両肩部及び左右腰部方向へ所定長延尺した構造である。
また、第３−１実施例の取付部１０の突出部形成空間は、第１−１実施例と同様（図４参照）、肩掛けベルト７１、７１が重合し、固定板７６のベルト挿通孔７６１、７６２を収納できる形状とする。
図示しないが、第３−２実施例の突出部形成空間は第１−２実施例と同様の形状であり、第３−３実施例の突出部形成空間は
第１−３実施例と同様の形状である。
【００３２】
第３−１実施例、第３−２実施例、第３−３実施例は、ベルト支持片の延尺方向が違うだけで、ハーネス型安全帯への取り付け方は同じであるので、第３−１実施例で説明する。
図１２および図１３に示すように、ベルト支持片４０が肩掛けベルト７１の外側（図１３のＯ側）に位置するように配置して、肩掛けベルト７１、７１が重合し、ベルト挿通孔７６１、７６２で位置決めした箇所を取付部１０の突出部形成空間に挿入する。この突出部形成空間は図示していないが、その形状は図４と同様である。
突出片１１、１１を固定板７６と連結環７７の間に左右から挿入し、ベルト支持片４０の肩ベルト挿入孔４３に肩掛けベルト７１を挿入し、ベルト把持辺４５、４５とベルト抱持片４１、４１で把持することで、装着形状保持プレート３はハーネス型安全帯７０に取り付けることができる。
【００３３】
この結果、第３実施例においても、第１実施例及び第２実施例と同様、ハーネス型安全帯７０に装着形状保持プレート３を装着すると、ハーネス型安全帯７０の肩掛けベルト７１、７１は湾曲形状になって左右の腕を入れる箇所、および両方の腿を緊縛するベルト（腿掛けベルト７３）が明確になり、ハーネス型安全帯７０が装着しやすくなる。
【００３４】
尚、図示しないが、ベルト支持片４０が肩掛けベルト７１の人体側（図１３のＭ側）に位置するように配置した状態で取り付けても、同様の効果を得られる。
【００３５】
（第４実施例）
図１４に示すように、第４実施例の装着形状保持プレート４の取付部２０は、第２実施例と同様で、連結部材２２はハーネス型安全帯７０の固定板８６に設けた複数の爪係止溝８６１（図１０参照）と、装着形状保持プレート４の取付部２０に設けた爪２２２（図１０参照）とから構成され、爪２２２を爪係止溝８６１に挿入することで、取付部２０と固定板８６が連結できる構造である。
また、取付部２０は、第２実施例と同様、図８に示すように、肩掛けベルト７１、７１が重合し、固定板７６のベルト挿通孔７６１，７６２で位置決めした箇所を収納できる大きさの突出部形成空間を有する。
【００３６】
同様に、第４実施例のベルト支持片４０の形状は、第３実施例と同様であり、第４−１実施例のベルト支持片４０は、取付部２０から両肩部方向へ所定長延尺する。図示しないが、第４−２実施例では取付部２０から左右腰部方向へ所定長延尺し、第４−３実施例では取付部２０から両肩部及び左右腰部方向へ所定長延尺した構造である。
【００３７】
装着形状保持プレート４のベルト支持片４０は第３実施例と同様に、肩掛けベルト７１の外側に位置するように配置する。取付部２０を固定板７６へ取り付ける方法は第２実施例と同様であり、ベルト支持片４０を肩掛けベルト７１へ取り付ける方法は第３実施例と同様である。
この結果、第４実施例においても、第１実施例、第２実施例、第３実施例と同様、ハーネス型安全帯７０に装着形状保持プレート４を装着すると、ハーネス型安全帯７０の肩掛けベルト７１、７１は湾曲形状になって左右の腕を入れる箇所、および両方の腿を緊縛するベルト（腿掛けベルト７３）が明確となり、ハーネス型安全帯が装着しやすくなる。
【００３８】
尚、図示しないが、第３実施例と同様に、ベルト支持片４０が肩掛けベルト７１の人体側に位置するように配置した状態で取り付けても、同様の効果を得られる。
【００３９】
本発明は、ハーネス型安全帯７０の背部リング部７５に装着形状保持プレート１を取り付けることで、ハーネス型安全帯の装着時の形状が保持できるものである。図示しないが、背部リング部７５の固定板７６に両肩方向、あるいは両腰方向、あるいは両肩方向と両腰方向の両方向に延尺するベルト支持片を設けても同様の効果が得られる。
【符号の説明】
【００４０】
１  装着形状保持プレートの第１実施例
２  装着形状保持プレートの第２実施例
３  装着形状保持プレートの第３実施例
４  装着形状保持プレートの第４実施例
１０  取付部
１１  突出片
１３  突出部形成空間
２０  取付部
２２  連結部材
２２２  爪
２２４  抜止片
２５  突出部形成空間
３０  ベルト支持片
４０  ベルト支持片
４１  ベルト抱持片
４３  肩ベルト挿入孔
４５  ベルト把持辺
７０  ハーネス型安全帯
７１  肩掛けベルト
７３  腿掛けベルト
７５  背部リング部
７６  固定板
７６１  ベルト挿通孔
７６２  ベルト挿通孔
７６３  ベルト挿通孔
７６４  Ｘ字構成孔
７７  連結環
８６  固定板
８６１  爪係止溝
８６２  係止辺
【図１】
0006444665.tif 000002
【図２】
0006444665.tif 000003
【図３】
0006444665.tif 000004
【図４】
0006444665.tif 000005
【図５】
0006444665.tif 000006
【図６】
0006444665.tif 000007
【図７】
0006444665.tif 000008
【図８】
0006444665.tif 000009
【図９】
0006444665.tif 000010
【図１０】
0006444665.tif 000011
【図１１】
0006444665.tif 000012
【図１２】
0006444665.tif 000013
【図１３】
0006444665.tif 000014
【図１４】
0006444665.tif 000015